(57)【要約】【課題】  画像読取りで得られた画像を表示したときの見た目と同じ状態で印刷や他の装置で利用できるようにする。【解決手段】  画像読取部１から入力した画像データを、第１画像補正部２によって複数種類の出力先で共通に利用可能な標準的な画像データに変換すると共に、その画像データに対する像域分離判定処理によって像域分離情報を生成し、その変換された画像データと、上記生成された像域分離情報とを対応させて画像蓄積部３に蓄積し、その蓄積された画像データを画像編集加工部４によって編集加工し、第２画像補正部５によってその画像データを出力先の画像表示部８用の画像データに変換し、第３画像補正部６によってその画像データを出力先の作像部９用の画像データに変換する。【選択図】        図１
2008028550.tif 000002
【特許請求の範囲】
【請求項１】
画像データを入力する画像入力手段と、該画像入力手段によって入力された画像データを複数種類の出力先で共通に利用可能な標準的な画像データに変換すると共に、前記画像データに対する像域分離判定処理によって像域分離情報を生成する第１の画像変換手段と、該第１の画像変換手段によって変換された画像データと、前記生成された像域分離情報とを対応させて蓄積する画像蓄積手段と、該画像蓄積手段に蓄積された画像データを編集する画像編集手段と、該画像編集手段によって編集された画像データを出力先の表示装置用の画像データに変換する第２の画像変換手段とを備えたことを特徴とする画像処理装置。
【請求項２】
前記画像編集手段によって編集された画像データを前記画像蓄積手段に蓄積する手段を設けたことを特徴とする請求項１記載の画像処理装置。
【請求項３】
前記第２の画像変換手段は、前記画像編集手段によって編集された画像データを出力先の表示装置用の解像度とマスキング演算による色補正を施した画像データに変換する手段であることを特徴とする請求項１又は２記載の画像処理装置。
【請求項４】
前記第２の画像変換手段は、前記画像編集手段によって編集された画像データを印刷装置又はネットワークへの出力用の解像度に変換すると共に、前記印刷装置への出力用と前記ネットワークへの出力用とで異なる色補正パラメータによる色補正を施した画像データに変換する手段であることを特徴とする請求項１又は２記載の画像処理装置。
【請求項５】
前記第２の画像変換手段は、前記画像編集手段によって編集された画像データを出力先の表示装置用の解像度に変換すると共に、前記画像データに対応する像域分離情報に基づいて変更した色補正パラメータによる色補正を施した画像データに変換する手段であることを特徴とする請求項１又は２記載の画像処理装置。
【請求項６】
前記第２の画像変換手段は、前記画像編集手段によって編集された画像データを該画像データに対応する像域分離情報に基づいて変更した補間係数による解像度に変換すると共に、色補正を施した画像データに変換する手段であることを特徴とする請求項１又は２記載の画像処理装置。
【請求項７】
前記第２の画像変換手段は、前記画像編集手段によって編集された画像データを該画像データに対応する像域分離情報に基づいて変更した解像度変換方式による解像度に変換すると共に、色補正を施した画像データに変換する手段であることを特徴とする請求項１又は２記載の画像処理装置。
【請求項８】
画像データを入力する画像入力工程と、該画像入力工程によって入力された画像データを複数種類の出力先で共通に利用可能な標準的な画像データに変換すると共に、前記画像データに対する像域分離判定処理によって像域分離情報を生成する第１の画像変換工程と、該第１の画像変換工程によって変換された画像データと、前記生成された像域分離情報とを対応させて蓄積する画像蓄積工程と、該画像蓄積工程によって蓄積された画像データを編集する画像編集工程と、該画像編集工程によって編集された画像データを出力先の表示装置用の画像データに変換する第２の画像変換工程とからなることを特徴とする画像処理方法。
【請求項９】
コンピュータに、画像データを入力する画像入力手順と、該画像入力手順によって入力された画像データを複数種類の出力先で共通に利用可能な標準的な画像データに変換すると共に、前記画像データに対する像域分離判定処理によって像域分離情報を生成する第１の画像変換手順と、該第１の画像変換手順によって変換された画像データと、前記生成された像域分離情報とを対応させて蓄積する画像蓄積手順と、該画像蓄積手順によって蓄積された画像データを編集する画像編集手順と、該画像編集手順によって編集された画像データを出力先の表示装置用の画像データに変換する第２の画像変換手順とを実行させるためのプログラム。
【発明の詳細な説明】
【技術分野】
【０００１】
この発明は、画像データに各種の処理を施す複写機、ファクシミリ装置、スキャナ装置を含む画像処理装置と、その画像処理装置で実施される画像データに各種の処理を施す画像処理方法と、コンピュータに画像データに各種の処理を施す手順を実行させるためのプログラムに関する。
【背景技術】
【０００２】
従来、読み込んだ画像を操作部の表示画面に表示して内容を確認した後、上記読み込んだ画像データに基づく印刷を行う複写機、ファクシミリ装置、スキャナ装置を含む画像処理装置（例えば、特許文献１参照）があった。
【特許文献１】特開２００３−１０１７９７号公報
【発明の開示】
【発明が解決しようとする課題】
【０００３】
しかしながら、従来の画像処理装置では、例えば、原稿から読み取った画像を表示したときの色味と印刷やネットワークを介して出力した先の装置で表示又は印刷したときの色味とが全く異なるものになってしまうという問題があった。
この発明は上記の点に鑑みてなされたものであり、画像読取りで得られた画像を表示したときの見た目と同じ状態で印刷や他の装置で利用できるようにすることを目的とする。
【課題を解決するための手段】
【０００４】
この発明は上記の目的を達成するため、次の画像処理装置と画像処理方法とプログラムを提供する。
（１）画像データを入力する画像入力手段と、その画像入力手段によって入力された画像データを複数種類の出力先で共通に利用可能な標準的な画像データに変換すると共に、上記画像データに対する像域分離判定処理によって像域分離情報を生成する第１の画像変換手段と、その第１の画像変換手段によって変換された画像データと、上記生成された像域分離情報とを対応させて蓄積する画像蓄積手段と、その画像蓄積手段に蓄積された画像データを編集する画像編集手段と、その画像編集手段によって編集された画像データを出力先の表示装置用の画像データに変換する第２の画像変換手段を備えた画像処理装置。
【０００５】
（２）上記のような画像処理装置において、上記画像編集手段によって編集された画像データを上記画像蓄積手段に蓄積する手段を設けた画像処理装置。
（３）上記のような画像処理装置において、上記第２の画像変換手段は、上記画像編集手段によって編集された画像データを出力先の表示装置用の解像度とマスキング演算による色補正を施した画像データに変換する手段である画像処理装置。
（４）上記のような画像処理装置において、上記第２の画像変換手段は、上記画像編集手段によって編集された画像データを印刷装置又はネットワークへの出力用の解像度に変換すると共に、上記印刷装置への出力用と上記ネットワークへの出力用とで異なる色補正パラメータによる色補正を施した画像データに変換する手段である画像処理装置。
【０００６】
（５）上記のような画像処理装置において、上記第２の画像変換手段は、上記画像編集手段によって編集された画像データを出力先の表示装置用の解像度に変換すると共に、上記画像データに対応する像域分離情報に基づいて変更した色補正パラメータによる色補正を施した画像データに変換する手段である画像処理装置。
（６）上記のような画像処理装置において、上記第２の画像変換手段は、上記画像編集手段によって編集された画像データをその画像データに対応する像域分離情報に基づいて変更した補間係数による解像度に変換すると共に、色補正を施した画像データに変換する手段である画像処理装置。
（７）上記のような画像処理装置において、上記第２の画像変換手段は、上記画像編集手段によって編集された画像データをその画像データに対応する像域分離情報に基づいて変更した解像度変換方式による解像度に変換すると共に、色補正を施した画像データに変換する手段である画像処理装置。
【０００７】
（８）画像データを入力する画像入力工程と、その画像入力工程によって入力された画像データを複数種類の出力先で共通に利用可能な標準的な画像データに変換すると共に、上記画像データに対する像域分離判定処理によって像域分離情報を生成する第１の画像変換工程と、その第１の画像変換工程によって変換された画像データと、上記生成された像域分離情報とを対応させて蓄積する画像蓄積工程と、その画像蓄積工程によって蓄積された画像データを編集する画像編集工程と、その画像編集工程によって編集された画像データを出力先の表示装置用の画像データに変換する第２の画像変換工程とからなる画像処理方法。
【０００８】
（９）コンピュータに、画像データを入力する画像入力手順と、その画像入力手順によって入力された画像データを複数種類の出力先で共通に利用可能な標準的な画像データに変換すると共に、上記画像データに対する像域分離判定処理によって像域分離情報を生成する第１の画像変換手順と、その第１の画像変換手順によって変換された画像データと、上記生成された像域分離情報とを対応させて蓄積する画像蓄積手順と、その画像蓄積手順によって蓄積された画像データを編集する画像編集手順と、その画像編集手順によって編集された画像データを出力先の表示装置用の画像データに変換する第２の画像変換手順を実行させるためのプログラム。
【発明の効果】
【０００９】
この発明による画像処理装置と画像処理方法は、画像読取りで得られた画像を表示したときの見た目と同じ状態で印刷や他の装置で利用することができる。
また、この発明によるプログラムは、コンピュータに画像読取りで得られた画像を表示したときの見た目と同じ状態で印刷や他の装置で利用できるようにするための機能を実現させることができる。
【発明を実施するための最良の形態】
【００１０】
以下、この発明を実施するための最良の形態を図面に基づいて具体的に説明する。
〔実施例〕
図１は、この発明の実施例のデジタル複合機（「ＭＦＰ」と略称する）の機能構成を示すブロック図である。
図２は、図１に示す第１画像補正部２の内部構成を示すブロック図である。
図３は、図１に示す第２画像補正部５の内部構成を示すブロック図である。
図４は、図１に示す第３画像補正部６の内部構成を示すブロック図である。
図５は、図１に示す第４画像補正部７の内部構成を示すブロック図である。
【００１１】
このＭＦＰは、原稿から読み取った画像の画像データをモニタ表示出力と紙出力とネットワーク上の端末装置に配信する配信アプリケーションとを行うデジタル複写機を含む画像処理装置であり、マイクロコンピュータに、上記画像入力手順、上記第１の画像変換手順、上記画像蓄積手順、上記画像編集手順、上記第２の画像変換手順とを実行させるためのプログラムをインストールし、そのプログラムの実行による画像処理方法を実施することによって、後述する各手段の機能を果たす。
【００１２】
図１に示すように、このＭＦＰは、制御部１２が他の各部の制御を司り、スキャナ装置である画像読取部１によって原稿に記載された画像を読み取り、その読み取った画像に基づくＲＧＢの画像データを、画像読取部１の装置固有のＲＧＢ信号で第１画像補正部２へ送る。この画像読取部１が上記画像入力手段に相当する。
第１画像補正部２では、図２に示すように、スキャナγ補正部２０、フィルタ処理部２１、色補正部２２による処理が行われる。この第１画像補正部２が上記第１の画像変換手段に相当する。
【００１３】
スキャナγ補正部２０では、装置固有のＲＧＢ信号の画像データに対してＲＧＢの各チャネル毎の入力８ｂｉｔ、出力８ｂｉｔの参照テーブル（Ｌｏｏｋ  Ｕｐ  Ｔａｂｌｅ：ＬＵＴ）によって補正を行う。
フィルタ処理部２１では、画像データに対して５×５程度のマトリクスによる空間フィルタ処理を行う。
色補正部２２では、入力されたＲＧＢの画像データから出力するＲＧＢの画像データへの３×３の行列による線形変換を行う。この変換処理を３次元のＬＵＴを用いて行っても良い。そして、標準のＲＧＢ信号の画像データを出力し、画像蓄積部３へ出力する。
【００１４】
また、画像データは像域分離判定部２３へも入力され、その画像データに対して像域分離判定アルゴリズムによる像域分離判定処理を行う。
この像域分離判定処理は、画像データ中の判定対象画素が黒か黒以外の色かの判定を行い、同時に文字か非文字（網点、ベタ、地肌）であるかを判定し、黒文字ならｂ（００）を、黒非文字ならｂ（０１）を、色文字ならｂ（１０）を、色非文字ならｂ（１１）をそれぞれ像域分離信号（像域分離情報）として画像蓄積部３へ出力する。
【００１５】
図１の第１画像補正部２では、画像読取部１で読み取った機器固有のＲＧＢ信号の画像データを入力し、各種の機器間で共通な色空間上での標準のＲＧＢ信号の色に変換した画像データを出力する。ここで、共通色空間に変換を行うのは画像データの再利用を行うためである。
その変換後の標準のＲＧＢ信号の画像データは、像域分離信号と対応させて画像蓄積部３に蓄積される。この画像蓄積部３が上記画像蓄積手段に相当する。
この画像蓄積部３は、図示を省略した圧縮伸張装置と半導体メモリとハードディスクなどの大容量記憶装置などから構成される記憶装置であり、その詳細については公知なので説明を割愛する。
【００１６】
次に、図１の画像蓄積部３から画像データと像域分離信号を読み出して画像編集加工部４へ送り、画像編集加工部４では画像データに濃度調整、色変換、移動、回転、及び解像度変換を含む様々な編集加工を施す。この画像編集加工部４が上記画像編集手段に相当する。
その編集加工処理の詳細については公知なので説明を割愛するが、大きく分けると、濃度調整や色変換などの色味の調整を行うものと、移動、回転など画像のアドレスを変換するものとに分けられる。ここで対象としているのは色味に関する画像編集加工を行った場合の処理についてである。
画像編集加工部４から出力された画像データと像域分離信号は、第２画像補正部５、第３画像補正部６、第４画像補正部７にそれぞれ送られて、画像データの出力先のデバイスに合わせた色空間への変換が行われる。
【００１７】
図１の第２画像補正部５は、画像表示部８への画像表示のための画像データ変換を行う。その画像表示部８は、操作部１１に搭載されている比較的小さい表示装置であるＣＲＴ，ＬＣＤを含むモニタである。この第２画像補正部５が上記第２の画像変換手段に相当する。この第２画像補正部５は、図３に示すように、画像編集加工部４から入力した標準のＲＧＢ信号の画像データを解像度変換処理する解像度変換部３０と、その変換処理された画像データを色補正処理する色補正部３１からなっており、出力先である画像表示部８に適した画像データ（画像表示部８用の画像データ）に変換する処理が行われる。
上記解像度変換部３０における解像度変換処理は、３次関数コンボリューション法を含む公知技術によって画像の拡大縮小を行う処理である。
また、上記色補正部３１における色補正処理は、例えば、３Ｄ−ＬＵＴ色補正処理によって標準的なＲＧＢ色空間から画像表示部８の表示能力に合った色空間への変換を行う。
【００１８】
図１の第３画像補正部６は、紙に印刷する画像を作像する作像エンジンを備えたレーザプリンタを含む作像部９へ出力するための画像データ変換を行う。
この第３画像補正部６は、図４に示すように、画像編集加工部４から入力した標準のＲＧＢ信号の画像データを、同じく画像編集加工部４から入力した像域分離信号に基づいて解像度変換処理する解像度変換部４０と、その変換処理された画像データを色補正処理してＣＭＹＫ信号の画像データを出力する色補正部４１と、その補正処理された画像データをプリンタ用のガンマ補正処理をして４×８ビットのＣＭＹＫ信号の画像データを出力するプリンタγ補正部４２と、その補正された画像データを中間調処理して４×２ビットのＣＭＹＫ信号の画像データを出力する中間調処理部４３からなっており、画像データに対して紙に出力するのに適した画像処理が行われる。
【００１９】
上記解像度変換部４０における解像度変換処理は、３次関数コンボリューション法を含む公知技術によって画像の拡大縮小を行う処理である。
また、上記色補正部４１における色補正処理は、標準的なＲＧＢ色空間から作像部９に合った色空間への変換、この場合はＣＭＹＫ信号への変換を行う。
さらに、上記中間調処理部４３における中間調処理は、誤差拡散法やディザ法を含む公知技術によって紙に印刷するときに低ビットの信号に変換する処理である。
【００２０】
図１の第４画像補正部７は、ネットワークインタフェース（Ｉ／Ｆ）１０を介して画像データを電子データとしてネットワーク上の端末装置へ送出するための画像データ変換を行う。
この第４画像補正部７は、図５に示すように、画像編集加工部４から入力した標準のＲＧＢ信号の画像データを解像度変換処理する解像度変換部５０と、その変換された画像データを色補正処理する色補正部５１からなり、画像データをネットワーク上の端末装置へ送信する電子画像としての使用に適した処理が行われる。
上記解像度変換部５０における解像度変換処理は、３次関数コンボリューション法を含む公知技術によって画像の拡大縮小を行う処理である。
また、上記色補正部５１における色補正処理は、例えば、３Ｄ−ＬＵＴ色補正処理によって標準的なＲＧＢ色空間からネットワークＩ／Ｆ１０を介して出力する先の端末装置に合った色空間への変換を行う。例えば、ｓＲＧＢ信号の画像データに変換する。
【００２１】
上記第２画像補正部５と上記第４画像補正部７の内部構成を同じように示しているが、図示を省略するが、実際は細部の構成が異なる。
上記第２画像補正部５では、このＭＦＰにおいて画像データを作像部９又はＰＣへ出力する前の事前確認のために表示させるための画像データに変換するのに対して、上記第４画像補正部７では、ネットワーク上のＰＣに画像データを転送して使用させることを前提としており、ＰＣでは比較的高い解像度の画像データの使用が想定されるので、両画像補正部では必要とされる機能が異なってくるためである。
【００２２】
このＭＦＰでは、画像蓄積部３に蓄積されている画像データに対して所望の編集加工内容を操作部１１から指示を行う。その指示は制御部１２を経て画像編集加工部４に伝えられる。
ここで、操作部１１からの指示が画像のプレビュー（事前確認）であった場合、第２画像補正部５によって画像表示部８に画像編集加工部４における編集加工内容が反映された画像の表示を行う。その編集内容で不満足な場合は、ユーザは、再度操作部１１から指示を行ってプレビューを行う。
そして、編集内容に問題がなければ、ユーザによる操作部１１からの指示に基づいて作像部９へ編集加工後の画像データが出力される。
【００２３】
このようにして、画像データの蓄積を行い、その画像データに編集加工し、その編集加工後の画像データを作像部９に出力する前に画像表示部８で表示することが可能であり、画像編集加工後の画像データを表示と作像部９の出力とスキャナアプリへの送信に共通に用いることができ、画像表示部８で見たとおりの画質の画像の画像データを印刷出力又は電子配信することができる。
【００２４】
次に、このＭＦＰにおいて、画像編集加工後の画像データを画像蓄積部３に再度蓄積するようにしてもよい。
図６に示すように、画像編集加工部４で編集加工された画像データを画像蓄積部３に蓄積する。その際、編集加工前の画像データと対応させて蓄積するようにすると良い。また、画像蓄積部３に画像データを蓄積すると共に、同時に編集加工後の画像データに基づく編集加工後の内容の画像を画像表示部８にプレビュー表示を行う。
このようにすれば、プレビュー表示の画像内容で問題がなければ、画像蓄積部３に蓄積された編集加工後の画像データをそのまま出力することができる。
【００２５】
したがって、画像編集加工をＣＰＵなどのリアルタイムでない処理で行っている場合には、大きな生産性の改善になる。
また、画像蓄積部３に蓄積した編集加工後の内容を繰り返し何度でも編集加工することができる。
このようにして、画像編集加工後の画像データを再度蓄積して、画像表示部で表示することにより、複数回編集加工を繰り返し、その度毎に画像内容を確認することができる。
そして、画像確認後の画像データは画像蓄積部３に蓄積されているので、再度編集加工を行う必要もなく第３画像補正部６又は第４画像補正部７で処理して出力することができ、処理を高速に行うことができる。
【００２６】
次に、上記プレビュー表示の動作はユーザからの指示があってからすばやく処理を完了するのが望ましい。
これは、画像読取部１における原稿の画像の読み取りや、作像部９における印刷速度の遅い早いに関わらず、素早い動作が求められるているからである。
そこで、上記第２画像補正部における色補正処理を簡単な構成で素早く行うようにすると良い。
【００２７】
図７は、図１に示す第２画像補正部５の他の内部構成例を示すブロック図である。
この第２画像補正部５では、上述の色補正部３１に代えて、３×３のマトリクス程度の行列演算だけで色変換を行うマスキング色補正部３２を設けており、画像編集加工部４によって編集された画像データを出力先である画像表示部８用の解像度とマスキング演算による色補正を施した画像データに変換する。
このように、解像度変換部３０による解像度変換後の画像データに対して処理速度の速い簡易な回路、またはアルゴリズムを用いて色補正を行っているので、演算量を少なく抑えることができ、画像のプレビューを素早く表示することができる。また、編集した画像を即座に表示する機能を安価な構成で実現することができる。
【００２８】
次に、通常は作像部９とｓＲＧＢ信号の画像データでは色再現範囲が異なる。
そこで、第２画像補正部５において、操作部１１から指示される出力先に応じて色再現範囲を考慮して色変換を行うことにより、印刷又は電子配信の出力画像と表示画像とを高精度で一致させることができる。
第２画像補正部５の色補正部３１における色補正処理を、３Ｄ−ＬＵＴを用いて行うようことにより、そのパラメータを変更するだけで、どのような色空間への変換にも対応することができる。
【００２９】
したがって、操作部１１からの指示により３Ｄ−ＬＵＴのパラメータを変更することにより、出力画像と表示装置の画像を一致させることができる。
このようにして、表示用の色補正部の色補正パラメータを、作像部とネットワークＩ／Ｆの出力先によって変更し、出力先の装置の色再現範囲を考慮した色補正を行うことにより、表示画像の色味と、印刷画像の色味、電子配信先の表示画像又は印刷画像の色味とを全て高精度に一致させることができる。
【００３０】
次に、通常、上記第３画像補正部６は像域分離信号ｂｎに基づいて像域分離判定処理の判定結果が黒文字、黒非文字、色文字、色非文字のいずれであるかによって内部の色変換処理のパラメータを変更している。
これは色文字は鮮やかに再現するのが好まれるが、非文字の部分は自然な色合いで再現することが好まれるからである。
そこで、作像部９又はネットワークに出力する画像データの画像と、画像表示部８に出力する画像データの画像の色味を一致させるためには、第２画像補正部５の色変換処理でも像域分離信号ｂｎに応じて色変換のパラメータを変更する必要がある。
【００３１】
図８は、図１に示す第２画像補正部５のまた他の内部構成例を示すブロック図である。
この第２画像補正部５では、上述の色補正部３１に代えて、第１色補正部３３と第２色補正部３４とセレクタ３５を設けている。
上記第１色補正部３３と上記第２色補正部３４とには、それぞれ異なるパラメータが設定されており、第１色補正部３３は解像度変換部３０から出力される画像データを第１のパラメータ（例えば、色文字用のパラメータ）に基づく３Ｄ−ＬＵＴの変換処理によって第１のｓＲＧＢ信号の画像データを出力する。また、第２色補正部３４は解像度変換部３０から出力される画像データを第２のパラメータ（例えば、色非文字用のパラメータ）に基づく３Ｄ−ＬＵＴの変換処理によって第２のｓＲＧＢ信号の画像データを出力する。
【００３２】
そして、セレクタ３５は像域分離信号の内容に基づいて、第１のｓＲＧＢ信号の画像データ、あるいは第２のｓＲＧＢ信号の画像データのいずれか一方を画像表示部８へ出力することにより、画像編集加工部４によって編集された画像データを作像部９又はネットワークへの出力用の解像度に変換すると共に、作像部９への出力用とネットワークへの出力用とで異なる色補正パラメータによる色補正を施した画像データに変換する。
このようにして、第３画像補正部６において像域分離信号の結果によって色補正パラメータを切り替えると共に、第２画像補正部５でも像域分離信号に基づいて表示用の色補正パラメータを切り替えるので、それに合わせた処理を行うことで印刷画像と表示画像を高精度に一致させることができる。
【００３３】
次に、上記画像表示部８は、一般的には６４０×４８０画素程度の大きさである。一方、蓄積される画像データはＡ４サイズで９０００×７０００画素程度の大きさがある。
このように、画像データに対して縮小率を大きくして解像度変換をしないと表示ができない。
また、蓄積される画像データは画像読取部１から読み取られる画像データであるため、原稿に網点部分がある場合には蓄積した画像データにも網点の起伏が残り、それをそのまま間引いて縮小すると非常に激しいモアレが生じる可能性がある。
ここで、強い平滑化を行えば良いが、画像表示部８の表示領域が小さいと画像がぼけて鮮明に見えなくなる可能性がある。
【００３４】
図９は図１に示す第２画像補正部５のさらに他の内部構成例を示すブロック図である。
この第２画像補正部５では、解像度変換部３０の前に平滑フィルタ部３６を設け、像域分離信号に基づいて平滑フィルタ部３６と解像度変換部３０の各補間係数を切り替える。
そして、画像編集加工部４によって編集された画像データに、その画像データに対応する像域分離情報に基づいて変更した補間係数による平滑フィルタ処理を施すと共に、同じく像域分離情報に基づいて変更した補間係数による解像度に変換し、さらに色補正を施した画像データに変換する。
こうして、画像中の網点部ではモアレを出さず、且つ文字部では解像力を落とすことなく画像の生成が可能になる。
【００３５】
このようにして、像域分離信号と変換解像度によって解像度変換部の補間係数を変更することにより、非文字と判定された部分に対して拡大時は忠実な画像を生成し、縮小時はモアレを抑えた画像を生成することができ、文字と判定された部分に対しては解像力を保つような処理が可能になる。
【００３６】
次に、上述の処理により、画像中の網点部のモアレを抑えることはできるが、文字についてはぼけてしまったり、消えてしまったりして実用的でなくなる場合がある。
そこで、解像度変換部において像域分離信号に基づいて縮小演算方式を切り替えるようにするとよい。
図１０は、図１に示す第２画像補正部５のさらにまた他の内部構成例を示すブロック図である。
この第２画像補正部５は、画像編集加工部４で編集された画像データに、像域分離信号に基づいて解像度変換する解像度変換部３７を設けることにより、画像編集加工部４によって編集された画像データをその画像データに対応する像域分離情報に基づいて変更した解像度変換方式による解像度に変換すると共に、色補正を施した画像データに変換する。
解像度変換部３７は、像域分離信号に基づいて画像データに対する縮小演算方式を切り替えて解像度変換処理を行う。
【００３７】
上記縮小演算方式については、画像中の文字と判定された部分については縮小による情報の欠落が問題となるので、間引き対象となる画素間でＯＲ処理をした上で間引くことで文字や線の欠落を防止する。
図１１は、画像データの縮小演算処理の一例の説明図である。
例えば、画像データの解像度を６００ｄｐｉから２００ｄｐｉに補正する場合、同図の（ａ）のｉに示すように、３連続する画素の両端が白画素であり、中央が黒画素の場合、ｉｉに示すように、全ての画素を黒画素に変換した後に２画素を間引くことにより、ｉｉｉに示すように、黒画素１つを残す。
また、同図の（ｂ）のｉに示すように、３連続する画素が全て白画素の場合、ｉｉに示すように、全ての白画素をそのままで２画素を間引くことにより、ｉｉｉに示すように、白画素１つにする。
【００３８】
また、画像中の非文字の部分については、３次関数コンボリューション法を含む公知技術で縮小演算を行うようにすれば、文字部では縮小時でも情報の欠落を起こすことなく表示画像の生成ができる。
このようにして、第２画像補正部で画像データを縮小画像で表示するときに文字部に対してはＯＲ間引きで縮小し、それ以外の部分は通常の補間演算を行うことにより、文字部は欠落が無く、それ以外の部分は出力画像に忠実な表示画像を得ることができる。
【産業上の利用可能性】
【００３９】
この発明による画像処理装置、画像処理方法、プログラムは、ファクシミリ装置、スキャナ装置、パーソナルコンピュータにおいても適用することができる。
【図面の簡単な説明】
【００４０】
【図１】この発明の実施例のデジタル複合機の機能構成を示すブロック図である。
【図２】図１に示す第１画像補正部２の内部構成を示すブロック図である。
【図３】図１に示す第２画像補正部５の内部構成を示すブロック図である。
【図４】図１に示す第３画像補正部６の内部構成を示すブロック図である。
【図５】図１に示す第４画像補正部７の内部構成を示すブロック図である。
【００４１】
【図６】この発明の実施例のデジタル複合機の他の機能の説明に供するブロック図である。
【図７】図１に示す第２画像補正部５の他の内部構成例を示すブロック図である。
【図８】図１に示す第２画像補正部５のまた他の内部構成例を示すブロック図である。
【図９】図１に示す第２画像補正部５のさらに他の内部構成例を示すブロック図である。
【図１０】図１に示す第２画像補正部５のさらにまた他の内部構成例を示すブロック図である。
【図１１】画像データの縮小演算処理の一例の説明図である。
【符号の説明】
【００４２】
１：画像読取部    ２：第１画像補正部    ３：画像蓄積部    ４：画像編集加工部    ５：第２画像補正部    ６：第３画像補正部    ７：第４画像補正部    ８：画像表示部    ９：作像部    １０：ネットワークＩ／Ｆ    １１：操作部    １２：制御部    ２０：スキャナγ補正部    ２１：フィルタ処理部    ２２，３１，４１，５１：色補正部    ２３：像域分離判定部    ３０，４０，５０，３７：解像度変換部    ３２：マスキング色補正部    ３３：第１色補正部    ３４：第２色補正部    ３５：セレクタ    ３６：平滑フィルタ部    ４２：プリンタγ補正部    ４３：中間調処理部
【図１】
2008028550.tif 000003
【図２】
2008028550.tif 000004
【図３】
2008028550.tif 000005
【図４】
2008028550.tif 000006
【図５】
2008028550.tif 000007
【図６】
2008028550.tif 000008
【図７】
2008028550.tif 000009
【図８】
2008028550.tif 000010
【図９】
2008028550.tif 000011
【図１０】
2008028550.tif 000012
【図１１】
2008028550.tif 000013